(57)【要約】本発明は、プレー中にゴルフボールの表面に付いた汚れを拭き取るための携帯型のゴルフボールクリーナであって、湾曲面を有する凹部およびその凹部の内壁面に拭取り部が形成されたクリーナ本体と、このクリーナ本体の前記凹部を開閉する蓋体とを備えている。このゴルフボールクリーナは、ゴルフプレーヤがポケットに入れたり腰に引っ掛けるなどして手軽に持ち歩くことができると共に、ゴルフボールをしっかり手に持って湾曲面を有する凹部の中で回転させることができるので、ボルフボールの表面に付いた汚れを拭取り部によってきれいに拭き取ることができる。【特許請求の範囲】
【請求項１】
湾曲面を有する凹部と、この凹部の内壁面に形成された拭取り部とを備えることを特徴とするゴルフボールクリーナ。
【請求項２】
湾曲面を有する凹部およびその凹部の内壁面に拭取り部が形成されたクリーナ本体と、
このクリーナ本体の前記凹部を開閉する蓋体とを備えることを特徴とするゴルフボールクリーナ。
【請求項３】
前記凹部がゴルフボールの曲面にほぼ対応した湾曲面またはゴルフボールの曲面より大きな曲率半径の湾曲面を有する請求項１又は２記載のゴルフボールクリーナ。
【請求項４】
前記凹部がゴルフボールの半径寸法とほぼ同じ深さ又はゴルフボールの半径寸法より浅い深さに形成されている請求項１又は２記載のゴルフボールクリーナ。
【請求項５】
前記クリーナ本体の外形が曲面形状である請求項１又は２記載のゴルフボールクリーナ。
【請求項６】
前記拭取り部が凹部の内壁面に沿って敷かれたスポンジ体によって形成されている請求項１又は２記載のゴルフボールクリーナ。
【請求項７】
前記凹部の内壁面にはスポンジ体に係合する突起が設けられている請求項５記載のゴルフボールクリーナ。
【請求項８】
前記蓋体がクリーナ本体とは樹脂ヒンジによって連結されている請求項２記載のゴルフボールクリーナ。
【発明の詳細な説明】
【技術分野】
【０００１】
本発明は、ゴルフのプレー中にゴルフボールの表面に付いた汚れを拭き取るための携帯型のゴルフボールクリーナに関するものである。
【背景技術】
【０００２】
従来、この種のゴルフボールクリーナとして、特許文献１に開示のものが知られている。このゴルフボールクリーナ１は、図１１に示されるように、合成皮革などを袋状に縫い合わせたものであり、袋状体の上端にはゴルフボール４を出し入れする開口部２が設けられ、袋状体の内壁面には清掃部３が設けられている。清掃部３は、織布、不織布、編物、スポンジ体などの含水性材料で形成され、予め水と若干の洗剤を含浸させてから使用される。使用時には袋状体の開口部２から汚れたゴルフボール４を入れ、袋状体の外方を一方の手で持ち、他方の手で袋状体内のゴルフボール４を把持して、両者を相対的に動かすことで、ゴルフボール４の表面が清掃部３によって拭かれ、表面に付着した汚れを拭き取ることができる。拭き終わったら、ゴルフボールクリーナ１の開口部２を閉じてズボンのポケットなどに入れてプレーを再開する。【０００３】
しかしながら、上述した従来のゴルフボールクリーナ１は、袋状体の中にゴルフボール４が１個入る程度の小さいものであるため、中に入れたゴルフボール４を片手で把持しにくく、その中ではゴルフボール４を十分に回転させることができないこと、また、袋状体が一定形状を保持していないことなどから、ゴルフボール４と袋状体を相対的に動かしたとしても、ゴルフボール４の表面を拭き残すおそれがあった。
【特許文献１】特開２００１−１７０２１８号公報
【発明の開示】
【発明が解決しようとする課題】
【０００４】
本発明が解決しようとする問題点は、ゴルフボールの表面に付いた汚れを拭取る時に、ゴルフボールを回転させにくくゴルフボールの表面を拭き残す点である。
【課題を解決するための手段】
【０００５】
本発明のゴルフボールクリーナは、ゴルフボールを十分に回転させてその表面を拭き残さないようにするため、湾曲面を有する凹部の内壁面に拭取り部を形成したことを最も主要な特徴とする。【０００６】
また、本発明のゴルフボールクリーナは、衣服を濡らさないために、湾曲面を有する凹部が形成されたクリーナ本体と、このクリーナ本体の凹部を開閉する蓋体とを備えていることを特徴とする。
【発明の効果】
【０００７】
本発明に係るゴルフボールクリーナは、湾曲面を有する凹部の内壁面に拭取り部が形成されているため、ゴルフボールをしっかりと片手に持って拭取り部の上を満遍なく回転させることができ、ゴルフボールの表面を拭き残すことがない。それ結果、ゴルフボールの表面に付着した汚れをきれいに拭き取ることができる。【０００８】
また、本発明に係るゴルフボールクリーナは、クリーナ本体の凹部を蓋体によって開閉できるので、拭取り部に含ませた水が外に漏れることがない。そのため、ゴルフボールクリーナをズボンのポケットに入れたり腰に引っ掛けて持ち歩いても衣服を濡らしてしまうといったことがない。
【図面の簡単な説明】
【０００９】
【図１】本発明の第１実施形態に係るゴルフボールクリーナの全体構造を示す分解斜視図である。
【図２】蓋体を閉じた時のゴルフボールクリーナの斜視図である。
【図３】図２におけるＡ−Ａ線断面図である。
【図４】蓋体を開いた時のゴルフボールクリーナの断面図である。
【図５】ゴルフボールを凹部に入れた時のゴルフボールクリーナの斜視図である。
【図６】ゴルフボールを凹部に入れた時のゴルフボールクリーナの断面図である。
【図７】ゴルフボールクリーナをズボンのポケットに入れた状態を示す説明図である。
【図８】ゴルフボールクリーナの使用状態を示す斜視図である。
【図９】本発明の第２実施形態に係るゴルフボールクリーナの平面図である。
【図１０】図９におけるＢ−Ｂ線断面図である。
【図１１】従来におけるゴルフボールクリーナの一例を示す分解斜視図である。
【発明を実施するための最良の形態】
【００１０】
以下、添付図面に基づいて、本発明に係るゴルフボールクリーナの最良の実施形態を説明する。図１乃至図８には本発明の第１実施形態に係るゴルフボールクリーナ１０の構成および使用方法が示されている。このゴルフボールクリーナ１０は、樹脂成形された半球状のクリーナ本体１１と、このクリーナ本体１１の凹部１２に形成された拭取り部１３と、前記クリーナ本体１１の凹部１２を開閉する蓋体１４とで構成される。【００１１】
前記クリーナ本体１１は、ゴルフボールの曲面の形状にほぼ対応した半球面状の外形を有しており、ゴルフボールより一回り大きく形成されている。また、クリーナ本体１１の内部には、ゴルフボールの曲面にほぼ対応した湾曲面を有する凹部１２が形成されている。この凹部１２の湾曲面は、ゴルフボールの曲面より僅かに大きな曲率半径で作られており、例えば図６に示したように、凹部１２の内壁面１２ａに形成された拭取り部１３の上からゴルフボール１５を入れたときに、ゴルフボール１５の両側に僅かな隙間が出来る程度が望ましい。また、凹部１２の深さは、ゴルフボール１５の半径寸法とほぼ同一か、又は図６に示したように、ゴルフボール１５の中心線Ｃが凹部１２から少し出ているくらいの深さ、すなわちゴルフボール１５の半分以上が凹部１２からはみ出すくらいの深さに設定するのが望ましい。その方がゴルフボール１５をしっかりと持つことができ、ゴルフボール１５を回転させやすいからである。【００１２】
前記凹部１２の内壁面１２ａには複数の小さな突起１６が設けられている。これらの突起１６は、例えば凹部１２の底部中央に突設された１個と、そこから四方向に３つずつ等間隔に突設された１２個からなり、これら１３個の突起１６が凹部１２の内壁面１２ａに十字状に配列されている。【００１３】
凹部１２の内壁面１２ａにはゴルフボール１５の表面に付着した汚れを拭き取るための拭取り部１３が形成されている。この拭取り部１３は、例えば図１に示したような円板形状のスポンジ体によって形成される。そして、このスポンジ体を凹部１２の内壁面１２ａに押し付け、内壁面１２ａに密着するように敷くことで拭取り部１３が構成される。内壁面１２ａの全体を覆うように敷かれた拭取り部１３の底面には、前記凹部１２の内壁面１２ａから突出させた複数の突起１６が係合する。このように、拭取り部１３を突起１６に係合させることによって、拭取り部１３がゴルフボール１５と一緒に凹部１２内で回転してしまうのを防ぐことが出来る。前記スポンジ体は天然の海綿のみならず合成樹脂などで作られたものを利用することもできる。また、スポンジ体の厚みや弾性度も適宜選択される。なお、使用時にはこのスポンジ体に適当の水を含ませておくのが望ましい。本発明の拭取り部１３がスポンジ体に限定されないことは勿論であり、ゴルフボール１５の表面と接触して表面の汚れを拭取るような素材又は含水性の材料であれば適用できる。また、凹部１２の内壁面１２ａがそのような素材からなる場合は、内壁面１２ａが直接拭取り部１３となることもできる。【００１４】
前記クリーナ本体１１の凹部１２を開閉する蓋体１４は、前記クリーナ本体１１の開口端部１７に装着されるリング状の縁飾り１８と一体に設けられている。縁飾り１８には前記クリーナ本体１１の開口端部１７に嵌め込まれる下向きの係合溝１９と、拭取り部１３が凹部１２の内壁面１２ａから浮き上らないように、拭取り部１３の上端部を押さえ込む内向きのストッパ壁２０とが全周にわたって形成されている。また、前記ストッパ壁２０と縁飾り１８の上面２１との間には、前記凹部１２を蓋体１４によって閉じた時に、蓋体１４の外周縁が嵌り込む段差部２２が全周にわたって設けられている。蓋体１４は、前記クリーナ本体１１の縁飾り１８の一端に樹脂ヒンジ２３によって連結されており、縁飾り１８と一体成形されている。蓋体１４の形状は、前記クリーナ本体１１の開口の形状に対応しており、凹部１２を閉じるための円形状の平板蓋２５と、その外周に段差を持って形成されるフランジ２６と、前記樹脂ヒンジ２３と対向する側でフランジ２６から外方に向かって水平に延びる舌片２７とで構成される。舌片２７を指でつまんで開閉することで蓋体１４は樹脂ヒンジ２３を中心に回動する。凹部１２を蓋体１４で閉じる時には、平板蓋２５を縁飾り１８の上から凹部１２の上方に被せ、フランジ２６をストッパ壁２０の上面に載置すると共に、平板蓋２５の外周縁をストッパ壁２０の内周縁に嵌め入れることによって、クリーナ本体１１の凹部１２を蓋体１４でしっかりと閉じることができる。【００１５】
次に、上記構成からなるゴルフボールクリーナ１０の使用方法を説明する。まず、使用前に拭取り部１３を構成するスポンジ体に十分な水を含ませておく。このゴルフボールクリーナ１０は、図７に示すように、ゴルフプレーヤがズボンのポケット３１に入れたり、クリーナ本体１１に付けた金具（省略）を腰に引っ掛けるなどして各人が持ち歩くことができる。クリーナ本体１１の凹部１２は蓋体１４でしっかりと閉じられているので、拭取り部１３がポケット３１の布地に接触することもなく、ズボンのポケット３１が濡れることはない。また、図７に示したように、ズボンのポケット３１には平らな蓋体１４の方を内側に向けて入れておくことで、大腿部３２に触れても全く違和感がない。逆にクリーナ本体１１の球面側が大腿部３２に触れていたとしても、ゴルフボール１５と略同じ曲面なので違和感を感ずることなくプレーできる。【００１６】
本発明のゴルフボールクリーナ１０は、特にゴルフボール１５がグリーン上に載った時に使用される頻度が高い。グリーン上に載った自分のボルフボール１０が汚れている場合、まずグリーン上で各自のズボンのポケット３１からゴルフボールクリーナ１０を取り出し、図８に示すように、クリーナ本体１１を左手３３で包み込むようにして持ち、舌片２７を引っ張り上げて蓋体１４を開ける。次いで、汚れているゴルフボール１５をクリーナ本体１１の凹部１２の中に入れ、例えば右手３４の親指、人差し指および中指の三本指でゴルフボール１５をしっかりと持ち、拭取り部１３に押し付けながら回転させ、ボルフボール１５の表面全体を拭取り部１３によって拭くことで、表面に付着した汚れをきれいに拭き取ることができる。拭取り部１３としてのスポンジ体は、凹部１２の内壁面１２ａから突出する突起１６に係合されていると共に、上端部が縁飾り１８のストッパ壁２０によって押えられているので、ゴルフボール１５を拭取り部１３に強く押し付けながら回転させも一緒に回転してしまうことがない。そのため、拭取り部１３の上でゴルフボール１５の表面を万遍なく回転させることができ、拭取り効果が十二分に発揮される。このようにして、ゴルフボール１５の表面全体をきれいに拭取ることができたら、クリーナ本体１１の凹部１２を蓋体１４によって閉じたのち、ズボンのポケット３１の中に仕舞い込み、表面がきれいになったゴルフボール１５を元の位置に戻してプレーを再開する。【００１７】
上記のように、クリーナ本体１１の外形は、ゴルフボール１５と同じような球面形状をしているので、片手に包み込むようにして持つことができ、片手で持ちやすい上にゴルフボール１５を拭く時にもしっかりと支えることができる。また、凹部１２の湾曲面も、ゴルフボール１５とほぼ同じ曲面形状をしているので、ゴルフボール１５を回転させやすい。そのため、拭取り部１３の上でゴルフボール１５の表面を万遍なく回転させることができ、ゴルフボール１５の表面を拭き残すことがない。【００１８】
図９及び図１０は本発明に係るゴルフボールクリーナの第２実施形態を示したものである。この実施形態に係るゴルフボールクリーナ４０は、先の実施形態と同様、クリーナ本体４１と蓋体４４とで構成されるが、クリーナ本体４１の凹部４２の深さをさらに浅く形成してある点で異なる。すなわち、凹部４２の湾曲面は先の実施形態における凹部１２の曲率半径より大きく設定してあり、凹部４２の湾曲形状が緩くなっている。そのため、ゴルフボール１５がさらに回転しやすくなり、より一層拭き易くなる。なお、凹部４２の内壁面４２ａにはスポンジ体などからなる拭取り部４３に係合する複数の小さな突起４６が設けられているが、この突起４６の配置は前記実施形態における突起１６の配置と異なっている。【００１９】
一方、蓋体４４は先の実施形態と同様、クリーナ本体４１の開口端部に装着される縁飾り４８に樹脂ヒンジ５３を介して一体に成形される。また、蓋体４４は、クリーナ本体４１の凹部４２を閉じるための円形状の平板蓋５５と、その外周に段差を持って形成されるフランジ５６と、フランジ５６から外方に向かって水平に延びる舌片５７とで構成されるが、先の実施形態とは異なって、前記舌片５７の近傍には係止爪５８がフランジ５６の縦壁に突出形成されている。この係止爪５８を縁飾り４８に形成された係止溝５９に係合させることで蓋体４４の半閉め状態を防ぐことができる。【００２０】
本発明に係るゴルフボールクリーナは、クリーナ本体の形状が、先の実施形態で示したものに限定されないことは勿論であり、基本的にはゴルフボールが拭き易いような湾曲面の凹部を有するものであれば、その大きさや形状、深さなどの違いに多少の幅があっても構わない。
【産業上の利用可能性】
【００２１】
最近のゴルフ場では、セルフ方式のプレーの割合が非常に多くなってきている。そのような場合に、各プレーヤが本発明のゴルフボールクリーナをそれぞれ所有し、必要な時には即座に取り出して使用すれば非常に便利であると同時に使い勝手も良い。使用時には一方の手でクリーナ本体を持ち、他方の手でゴルフボールを把持して凹部内で回転させるだけで表面に付着した汚れなどを簡単に拭き取ることができる。
【符号の説明】
【００２２】
１０  ゴルフボールクリーナ
１１  クリーナ本体
１２  凹部
１２ａ  内壁面
１３  拭取り部（スポンジ体）
１４  蓋体
１５  ゴルフボール
１６  突起
２３  樹脂ヒンジ
【図１】
2005115562.tif 000002
【図２】
2005115562.tif 000003
【図３】
2005115562.tif 000004
【図４】
2005115562.tif 000005
【図５】
2005115562.tif 000006
【図６】
2005115562.tif 000007
【図７】
2005115562.tif 000008
【図８】
2005115562.tif 000009
【図９】
2005115562.tif 000010
【図１０】
2005115562.tif 000011
【図１１】
2005115562.tif 000012
【手続補正書】
【提出日】平成16年9月10日(2004.9.10)
【手続補正１】
【補正対象書類名】特許請求の範囲
【補正対象項目名】全文
【補正方法】変更
【補正の内容】
【書類名】請求の範囲
【請求項１】（削除）
【請求項２】湾曲面を有する凹部およびその凹部の内壁面に拭取り部が形成されたクリーナ本体と、このクリーナ本体の前記凹部を開閉する蓋体と、前記拭取り部の浮き上がり防止するために前記クリーナ本体の開口端部に設けられたストッパ壁と、を備えることを特徴とするゴルフボールクリーナ。
【請求項３】前記凹部がゴルフボールの曲面にほぼ対応した湾曲面またはゴルフボールの曲面より大きな曲率半径の湾曲面を有する請求項２記載のゴルフボールクリーナ。
【請求項４】前記凹部がゴルフボールの半径寸法とほぼ同じ深さ又はゴルフボールの半径寸法より浅い深さに形成されている請求項２記載のゴルフボールクリーナ。
【請求項５】前記クリーナ本体の外形が曲面形状である請求項２記載のゴルフボールクリーナ。
【請求項６】前記拭取り部が凹部の内壁面に沿って敷かれたスポンジ体によって形成されている請求項２記載のゴルフボールクリーナ。
【請求項７】前記凹部の内壁面にはスポンジ体に係合する突起が設けられている請求項６記載のゴルフボールクリーナ。
【請求項８】  前記蓋体がクリーナ本体とは樹脂ヒンジによって連結されている請求項２記載のゴルフボールクリーナ。
【請求項９】前記蓋体には前記クリーナ本体の開口端部に装着される縁飾りが設けられ、この縁飾りに前記拭取り部の上端部を押さえ込むストッパ壁が形成されている請求項２記載のゴルフボールクリーナ。
【国際調査報告】
2005115562.tif 000013
2005115562.tif 000014